(57)【要約】【課題】高所作業において、主に昇降用ステップを昇降する際の作業者の墜落を防止するために、使い方が簡単で、かつ種類の異なった昇降用ステップにも適用できる自動開閉式安全フックを提供する。【解決手段】本出願人が出願した登録実用新案第３１７９９８２号公報の、係止物を同心円から成る半円形の溝で捉える形状の安全フックの溝の開口部（９）に重力の作用によって自動的に開閉する開閉用駒（３）による外れ止め装置を設けたことを特徴とする自動開閉式安全フック。【選択図】図１
2015144753.tif 000002
【特許請求の範囲】
【請求項１】
安全フックの溝の開口部（９）に重力の作用によって自動的に開閉する開閉用駒（３）による外れ止め装置を設けたことを特徴とする自動開閉式安全フック。
【発明の詳細な説明】
【技術分野】
【０００１】
本発明は高所作業において、主に昇降用ステップにより昇降する際の作業者の墜落を防止するために使用する安全フックに関するものである。
【背景技術】
【０００２】
高所作業のための昇降設備は、電柱等で用いるボルト状のステップ、ステップに丸棒を用いた直立梯子、丸棒を「コ」の字形にして建物壁面や塔状の設備側面等に直接取り付けたステップ等々があり、それぞれ昇降する際は安全を確保する手段として、回し掛け昇降技術や墜落防止装置用レール等の設備を設けるなどしている。
【０００３】
また、昇降に際しての安全を確保する手段として用いる安全フックについては、特許文献１、特許文献２、特許文献３、にそれぞれ記載があるが、本発明との構造の違いが大きい。
【先行技術文献】
【特許文献】
【０００４】
【特許文献１】実用新案公開平０５−６２２７０公報
【特許文献２】実用新案公開平７−２８５６９公報
【特許文献３】登録実用新案第３０００２５２号公報
【特許文献４】登録実用新案第３１７９９８２号公報
【発明の概要】
【発明が解決しようとする課題】
【０００５】
従来、高所への昇降や高所作業に用いる安全フック類は、係止物からの外れ止め装置を備えているが、これらの外れ止め装置は開閉レバー、ロックレバー等の操作機構とこれらを可動させるための複雑な部品群を組み合わせた構造となっている、このため係止物への着脱や掛け替えの都度レバー操作等を必要とし、使用勝手が悪く、複雑な構造は故障発生のリスクが高まるとともに製造コストについても高いものとなっている。
【０００６】
また、電柱など回し掛け昇降技術による安全確保が可能な昇降設備についても、昇降の途中に障害物がある場合は、回し掛けをする本ロープとは別に補助ロープを用いて安全支点を確保して後に本ロープによる係止を一時解除して障害物を乗り越え、再び本ロープを掛け替えるといった一連の複雑なロープ操作と安全フックの操作を頻繁に行わなければならず、操作手順の錯誤や安全フックの掛かり具合の確認ミスによる墜落の危険も増大する。
【０００７】
他の、直立梯子、建物壁面や搭状の設備側面等に設置された昇降設備は、回し掛け昇降技術による安全確保が困難であり、多くの場合は他の墜落防止装置も設置されておらず、これらに適応できる汎用性のある安全フックは作られていない、また、墜落防止装置用レール等が設置されている設備にあっても、寒冷地では着氷雪によって使用できない場合があり、この際も代替えとなる安全フックは存在していない。
【０００８】
本出願人が出願した登録実用新案第３１７９９８２号公報の墜落防止用安全フックは、安全フックの形状と重量のバランスにより、係止物からの外れ止めの機能を持たせたものであるが、外れ止め装置を備えていないため、昇降途中に不安定な体勢での作業や、思いつきによる偶発的な動作をした場合や、手足を滑らせるなどの予期しない突発的な動きにより、安全フックに不自然な動きが加わった場合に外れ落ちる可能性もゼロではないため、使用に当たってはごく一部の補助的な用途に限定される、本発明はこれらの問題点を解決するためになされたものである。
【課題を解決するための手段】
【０００９】
本発明の自動開閉式安全フックは、本出願人が出願した登録実用新案第３１７９９８２号公報の、係止物を同心円から成る半円形の溝で捉える形状の安全フックを改良し、重力の作用によって自動的に作動する外れ止め装置を取り付けた事を特徴とするものである。
【００１０】
本発明の自動開閉式安全フックの外れ止め装置は、図２（Ａ）（Ｂ）（Ｃ）で示す安全フック本体（１）の溝の開口部下端（１０）に取り付けた開閉用駒（３）と、開閉用駒取付軸（４）の２つの部品で構成しており、開閉用駒取付部（６）の形状は、開閉用駒（３）の可動範囲を開閉用駒の閉鎖位置（１１）までに制限させる機能を備えた形状としている。
【００１１】
開閉用駒（３）の形状は、図２（Ｂ）に示すように、安全フック本体の同心円状の溝に沿って、溝の開口部（９）を閉鎖する形状とし、開閉用駒頭部（５）は、重力の作用を大きくするために、安全フック本体（１）の肉厚からはみ出さない範囲で大きくし、重量を与えている。
【００１２】
自動開閉式安全フックを昇降用ステップに着脱する際には、図３（Ａ）に示すとおり、開閉用駒（３）は溝の底部（８）に収まっており、溝の開口部（９）は開いた状態にある、次に、作業者の昇降動作により、自動開閉式安全フックがロープ用穴（１２）を介して引き上げられると図３（Ｂ）に示すとおり自動開閉式安全フックは、溝の先端部（７）で捉えた昇降用ステップ（１４）を中心軸として、反時計回りに回転を始める、同時に開閉用駒（３）は重力の作用により、開閉用駒頭部（５）を下向きとして鉛直線上に止まろうとするため、見かけ上は開閉用駒取付軸（４）を中心点として時計回りに回転して図３（Ｃ）に示す溝の開口部（９）を閉鎖するに至る。
【００１３】
溝の開口部（９）を閉鎖した時点では、自動開閉式安全フックは溝の先端部（７）で昇降用ステップを捉え続ける状態が保持されているが、図４（Ａ）で示すように、溝の先端部（７）で昇降用ステップを保持する限界を超えて自動開閉式安全フックが回転させられ、かつ、自動開閉式安全フックを引き上げる力が解放されると、図４（Ｂ）で示すように自動開閉式安全フックは昇降用ステップ上を同心円状の溝部（２）に沿って、溝の底部（８）に滑り込むこととなるが、この際、溝の開口部（９）は開閉用駒（３）により閉鎖されており、昇降用ステップからの外れ落ちが防止される、本発明は以上の構成よりなる自動開閉式安全フックである。
【発明の効果】
【００１４】
昇降用ステップへの着脱時は溝の開口部が自動的に開いており、作業者は自身で操作する必要はなく、昇降用ステップに引っ掛けるだけの単純動作で着脱できるため、手間がかからず、迅速な安全確保ができる。
【００１５】
本発明の自動開閉式安全フック２個を１組として使用することで、図５（Ａ）（Ｂ）（Ｃ）で示すとおり、左右交互に係止状態が常に確保されているため、昇降の途中に障害物がある場合も、回し掛け昇降技術で行う危険リスクの高い頻繁なロープ操作やフック操作など、特別な技術操作を必要とせず、左右交互に昇降用ステップを捉える通常の自然な昇降動作で簡単に障害物を乗り越えて昇降することが出来る。
【００１６】
これまで有効な墜落防止設備が設置されていない、直立梯子の昇降用ステップ、建物壁面や搭状設備側面等に直接取り付けられている昇降用ステップ等に適用することが出来る、また、着氷雪により他の墜落防止装置等が使用できない場合にあっても、本発明の自動開閉式安全フックを代用し安全を確保することが出来る。
【００１７】
外れ止め装置を作動させる手段として重力の作用を用いているため、バネ等の機械的な故障因子がなく、安定した作動が保証される、また、構造がシンプルなため、製造コストの大幅な低減化も図ることができる。
【図面の簡単な説明】
【００１８】
【図１】本発明安全フックの斜視図である。
【図２】本発明安全フックの形状図で（Ａ）正面図（Ｂ）開閉用駒の正面及び側面形状図である（Ｃ）開閉用駒取付部の形状を示す分解斜視図である。
【図３】本発明安全フックの作動図で（Ａ）着脱時昇降用ステップに引っ掛けた状態（Ｂ）ロープを介して垂直方向に引き上げられる状態の途中経過（Ｃ）ロープを介して垂直方向まで引き上げられた状態を示したものである。
【図４】通常の使用領域を超えて引き上げられた場合の作動図で（Ａ）安全フック本体の溝の先端部で昇降用ステップを捉えきれなくなる限界（Ｂ）溝の先端部で昇降用ステップを捉えきれなくなり、溝の底部に滑り込んだ状態（Ｃ）溝の底部で昇降用ステップを捉えている状態から、ロープを介して引き下げる力を加えられた状態を示したものである。
【図５】直立梯子で使用する際の説明用イメージ図で（Ａ）本発明自動開閉式安全フックの掛かり具合（Ｂ）（Ｃ）作業者の昇降動作を重ね合わせた斜視図である。
【発明を実施するための形態】
【００１９】
本発明の自動開閉式安全フックは、本出願人が出願した登録実用新案第３１７９９８２号による、係止物を同心円から成る半円形の溝で捉える形状の安全フックを改良し、重力の作用によって自動的に作動する外れ止め装置を取り付けた事を特徴とするものである。
【００２０】
本発明の自動開閉式安全フックの外れ止め装置の作動形態を説明する、図２（Ａ）（Ｂ）（Ｃ）で示す外れ止め装置は、安全フック本体（１）の溝の開口部下端（１０）に取り付けた、重力によって作動する開閉用駒（３）と、開閉用駒取付軸（４）の２つの部品で構成している。
【００２１】
また、開閉用駒（３）を取り付ける安全フック本体の開閉用駒取付部（６）の形状は、図２（Ｃ）の斜視図で示すように、溝の開口部（９）を閉鎖した際に、同心円状の溝部（２）の内側線上の図２（A)で示す開閉用駒の閉鎖位置（１１）で開閉用駒（３）の可動を停止させるための、ストッパーの機能を持たせた形状としている。
【００２２】
開閉用駒（３）の形状は、図２（Ｂ）に示すとおり、安全フック本体の溝の開口部（９）の空間を補う同心円形状とし、開閉用駒頭部（５）は、重力の作用を大きくするために、安全フック本体（１）の肉厚からはみ出さない範囲で膨らみを持たせ、重量を与えている。
【００２３】
自動開閉式安全フックを昇降用ステップに着脱する際には、図３（Ａ）に示すように開閉用駒（３）は溝の底部（８）に収まっており、溝の開口部（９）は開いた状態にある、次に、作業者の昇降動作により、自動開閉式安全フックがロープ用穴を介して引き上げられると図３（Ｂ）に示すように、自動開閉式安全フックは、溝の先端部（７）で捉えた昇降用ステップ（１４）を中心軸として、反時計回りに回転を始める、同時に開閉用駒（３）は重力の作用により、開閉用駒頭部（５）を下向きとして鉛直線上に止まろうとするため、見かけ上は開閉用駒取付軸（４）を中心点として時計回りに回転して図３（Ｃ）で示すように、溝の開口部（９）を閉鎖するに至る。
【００２４】
図３（Ａ）の自動開閉式安全フックを昇降用ステップに引っ掛けた状態から、図３（B)（Ｃ）のロープを介して垂直方向に引き上げられ、溝の開口部（９）が閉鎖されるまでの間は、自動開閉式安全フックは溝の先端部（７）で昇降用ステップを捉え続けており、この間でロープによる緊張が解かれた場合は、自動開閉式安全フック本体の同心円状の形状と重量のバランスにより、図３（Ａ）に示した自動開閉式安全フックを昇降用ステップに引っ掛けた元の位置に復帰する。
【００２５】
自動開閉式安全フックがロープを介して垂直方向まで引き上げられ、溝の開口部（９）を閉鎖した時点では、自動開閉式安全フックは溝の先端部（７）で昇降用ステップを捉え続ける状態が保持されているが、図４（Ａ）に示すように溝の先端部（７）で昇降用ステップを保持する限界を超えて回転させられ、かつ、ロープを介しての引き上げる力が解放された場合は、図４（Ｂ）に示すように、自動開閉式安全フックは昇降用ステップ上を同心円状の溝部（２）に沿って、溝の底部（８）に滑り込むこととなるが、この際、溝の開口部（９）は開閉用駒（３）により閉鎖された状態が保たれており、昇降用ステップからの外れ落ちが防止される。
【００２６】
また、図４（Ｃ）で示した、溝の底部（８）で昇降用ステップを捉えている状態から、ロープを介して下方向に引き下げる力が加わった場合は、同心円状の溝の先端部（７）へ滑って行くこととなるが、この際、見かけ上は、昇降用ステップ（１４）が、開閉用駒（３）を溝の開口部（９）に押し付けて閉鎖させながら通過することとなり、外れ落ちが防止される。
【００２７】
さらに、自動開閉式安全フックの溝の開口部（９）の設定位置を同心円状の溝の底部（８）寄りに設けることで、図３（B)(C)に示すように、ロープを介して垂直方向に引き上げられる早い段階で溝の開口部（９）の閉鎖状態を完了させるとともに、図４（A)(B)に示すように、溝の底部（８）に滑り込む際にも、溝の開口部（９）が確実に閉鎖されている状態を保つことができる、本発明は以上の構成よりなる自動開閉式安全フックである。
【実施例】
【００２８】
本発明の自動開閉式安全フックを使用する形態を説明するが、実施するに当たりここでの説明や手順だけに限定されるものではない。
【００２９】
本発明の自動開閉式安全フックは作業者の安全帯に連結して使用し、溝の開口部（９）を手前に向けて昇降用ステップに引っ掛けることで安全支点を確保する。
【００３０】
本発明の自動開閉式安全フックを用いて昇降する動作を図５（Ａ）（Ｂ）（Ｃ）により説明する、本発明の自動開閉式安全フック２個を１組として使用することで、昇降動作は、左右交互に、次に掴まる昇降用ステップに自動開閉式安全フックを引っ掛け、引っ掛けた自動開閉式安全フックに手を添えて昇降用ステップを握るという自然な昇降動作を左右交互に繰り返すだけで良く、この動作では、左右の一方の手は、必ず自動開閉式安全フックに手を添えて昇降用ステップを握っているため、係止状態も同時に保たれており、加えて、手を添えて握ることから自動開閉式安全フックの掛かり具合も同時に確認できるため、昇降時の安全性が高まる、また、昇降の途中に障害物がある場合も、同様に片方づつ乗り越えられるため、本ロープの掛け替えや補助ロープ等を用いることなく、通常の昇降動作で簡単に乗り越えることが出来、充分な安全が確保される。
【産業上の利用可能性】
【００３１】
これまで、昇降用ステップに丸棒を用いた直立梯子、丸棒を「コ」の字形にして建物壁面や塔状設備側面等に直接取り付けた昇降用ステップ等は、回し掛け昇降技術による安全確保が困難であり、かつ墜落防止装置も設置されていない場合が多い、本発明の自動開閉式安全フックはこれらの昇降用ステップに適用できるため、広範囲な安全作業に寄与できる。
【００３２】
墜落防止装置用レール等が設置されている昇降設備についても、冬期に着氷雪等により使用できない場合は,本発明による自動開閉式安全フックを代替えして、安全を確保することができる。
【００３３】
本発明の自動開閉式安全フックは製作する上で構造が単純なため大幅なコストダウンを図る事が出来、普及を促進できる。
【００３４】
昇降設備の既設、新設を問わず、本発明の自動開閉式安全フックを適用できる昇降設備であれば、新たに墜落防止装置等を設ける必要がなく、設備投資や墜落防止装置等の保全経費についても軽減できる。
【符号の説明】
【００３５】
１  安全フック本体
２  溝部
３  開閉用駒
４  開閉用駒取付軸
５  開閉用駒頭部
６  開閉用駒取付部
７  溝の先端部
８  溝の底部
９  溝の開口部
１０  溝の開口部下端
１１  開閉用駒の閉鎖位置
１２  ロープ用穴
１３  ロープ
１４  ステップ（ステップボルト）
１５  直立梯子
１６  ステップ（直立梯子用）
【図１】
2015144753.tif 000003
【図２】
2015144753.tif 000004
【図３】
2015144753.tif 000005
【図４】
2015144753.tif 000006
【図５】
2015144753.tif 000007